(57)【要約】【課題】装置本体のコストアップ、装置本体の大型化、および操作性の低下を招くことなく、再生時に録画されているコンテンツの区切りをユーザに簡単に確認させることができる録画装置を提供する。【解決手段】ＤＶＤ装置１は、録画中に操作部またリモコン装置１０に設けられているいずれかのキーを一定時間操作し続けられると、その時にチューナ３で受信している画像を、再生時間が予め定めた時間になるように繰り返しＤＶＤ２０に録画する。したがって、ユーザは、ＤＶＤ２０に番組を録画しているときに区切りをつけたいとき、操作部またリモコン装置１０に設けられているいずれかのキーを一定時間操作し続けることで、再生時にＤＶＤに録画されている番組の区切りが簡単に確認できる。【選択図】  図１
2005328175.tif 000002
【特許請求の範囲】
【請求項１】
記録媒体に音声や画像を録画する録画手段と、
リモコンから無線で送信されてきた、本体に対する制御信号を受信するリモコン受信手段と、
前記リモコン受信手段が受信した制御信号に基づいて、本体各部の動作を制御する制御手段と、を備えた録画装置において、  
前記制御手段は、前記録画手段による録画中に前記リモコン受信手段がいずれかの制御信号を予め定めた第１の時間継続して受信したとき、前記録画手段を制御して、再生時に予め定めた第２の時間連続して同じ画像が再生されるように、所定の画像を前記記録媒体に繰り返し録画し、一方、前記録画手段による録画中でないときに、前記リモコン受信手段がいずれかの制御信号を受信したとき、この制御信号について前記第１の時間継続して受信するかどうかを判定することなく、この制御信号に基づいて本体の動作を制御し、
さらに、前記リモコン受信手段がいずれかの制御信号を予め定めた第１の時間継続して受信したとき、この時点において本体で受信している画像を、前記記録媒体に繰り返し録画する。
【請求項２】
記録媒体に音声や画像を録画する録画手段と、
リモコンから無線で送信されてきた、本体に対する制御信号を受信するリモコン受信手段と、
前記リモコン受信手段が受信した制御信号に基づいて、本体各部の動作を制御する制御手段と、を備えた録画装置において、  
前記制御手段は、前記録画手段による録画中に前記リモコン受信手段がいずれかの制御信号を予め定めた第１の時間継続して受信したとき、前記録画手段を制御して、再生時に予め定めた第２の時間連続して同じ画像が再生されるように、所定の画像を前記記録媒体に繰り返し録画する録画装置。
【請求項３】
前記制御手段は、前記リモコン受信手段がいずれかの制御信号を受信したとき、前記録画手段による録画中で無ければ、この制御信号について前記第１の時間継続して受信するかどうかを判定することなく、この制御信号に基づいて本体の動作を制御する請求項２に記載の録画装置。
【請求項４】
前記制御手段は、前記リモコン受信手段がいずれかの制御信号を予め定めた第１の時間継続して受信したとき、この時点において本体で受信している画像を、前記記録媒体に繰り返し録画する請求項２または３に記載の録画装置。
【請求項５】
前記制御手段は、前記静止画像を記憶したメモリを有し、前記リモコン受信手段が前記リモコンから前記制御信号を前記第１の時間継続して受信したとき、前記録画手段を制御して、前記メモリに記憶している静止画像の中で選択されている静止画像を、前記記録媒体に繰り返し録画する請求項２または３に記載の録画装置。
【発明の詳細な説明】
【技術分野】
【０００１】
この発明は、ＤＶＤ、ビデオテープ等の記録媒体に音声や画像を録画する録画装置に関する。
【背景技術】
【０００２】
従来、ＤＶＤ、ビデオテープ等の記録媒体に映像や音声を録画する録画装置が一般に普及している。ユーザは、複数のコンテンツを１つの記録媒体に録画することがある。複数のコンテンツを記録した記録媒体を再生する場合に、その記録媒体に録画されているコンテンツの内容が確認できるように、一まとまりの動画像データから、時間的に最初の画像データを、その内容を確認するのに適したサムネイル画像として採用し記録する装置が特許文献１で提案されている。また、採用されたサムネイル画像と動画像データとは対応付けて記録されているので、このサムネイル画像を確認することで、記録媒体に記録されている動画像データの内容を確認することができる。
【０００３】
また、特許文献２では、所定の操作を行うと、そのときに録画している画像を静止画像として取り込み、この静止画像を記録媒体に録画する装置の構成が提案されている。
【特許文献１】特開２００２−８４４９２号公報
【特許文献２】特開昭５２−１４１５１４号公報
【発明の開示】
【発明が解決しようとする課題】
【０００４】
しかしながら、特許文献１の装置は記録媒体に録画されているコンテンツ（動画）の内容をユーザが簡単に確認できるように、サムネイル画像を動画像データに対応付けて記録するものであり、再生時に記録媒体に録画されているコンテンツの区切りをユーザに確認させるものではなかった。
【０００５】
また、特許文献２の装置の構成を利用し、記録媒体における録画したコンテンツの区切りとなる記録位置に静止画を録画することで、再生時に記録媒体に録画されているコンテンツの区切りをユーザに確認させる静止画として利用できるが、この静止画の録画を実行するときに操作するキーを新たに設けなければならず、キーの総数の増加による本体のコストアップという問題があった。また、キーの増加により、キーを配置するためのスペースが大きくなり、その結果リモコン装置や装置本体が大型化するという問題がある。一方、リモコン装置や装置本体を大型化させないために、キーを密に配置すると操作性を低下させるという問題がある。
【０００６】
この発明の目的は、装置本体のコストアップ、装置本体の大型化、および操作性の低下を招くことなく、再生時に録画されているコンテンツの区切りをユーザに簡単に確認させることができる録画装置を提供することにある。
【課題を解決するための手段】
【０００７】
この発明の録画装置は、上記課題を解決するために以下の構成を備えている。
【０００８】
（１）記録媒体に音声や画像を録画する録画手段と、
リモコンから無線で送信されてきた、本体に対する制御信号を受信するリモコン受信手段と、
前記リモコン受信手段が受信した制御信号に基づいて、本体各部の動作を制御する制御手段と、を備えた録画装置において、
前記制御手段は、前記録画手段による録画中に前記リモコン受信手段がいずれかの制御信号を予め定めた第１の時間継続して受信したとき、前記録画手段を制御して、再生時に予め定めた第２の時間連続して同じ画像が再生されるように、所定の画像を前記記録媒体に繰り返し録画する。
【０００９】
この構成では、前記録画手段による録画中にリモコン受信手段において、いずれかの制御信号が予め定めた第１の時間継続して受信されたとき、制御手段が録画手段を制御して、再生時に予め定めた第２の時間連続して同じ画像が再生されるように、所定の画像を前記記録媒体に繰り返し録画する。したがって、ユーザは録画手段による録画中に、リモコン装置のいずれかのキーを第１の時間継続して押すだけで、再生時に予め定めた第２の時間、例えば１〜２秒、連続して同じ画像が再生されるように、所定の画像を前記記録媒体に繰り返し録画できる。この記録媒体を再生したとき、同じ画像を繰り返し録画した位置では、接続されているテレビ受像機等において表示される映像が再生を一時停止したときと同様の状態になるので、ユーザは再生時に記録媒体に同じ画像が繰り返し録画されている位置を簡単に確認できる。このため、ユーザは、記録媒体にコンテンツを録画しているときに区切りをつけたいとき、リモコン装置に設けられているいずれかのキーを一定時間操作し続けることで、再生時に記録媒体に録画されているコンテンツの区切りが簡単に確認できるようになる。
【００１０】
また、同じ画像を記録媒体に繰り返し録画させる操作を、リモコン装置に設けられているいずれかのキーを第１の時間継続して押すという操作にしているので、リモコン装置や装置本体に設けるキーを増加させることがなく、コストアップや、リモコン装置、装置本体の大型化等を招くことがない。
【００１１】
さらに、記録媒体の再生を開始するときに、ユーザが第１の時間継続して再生キーを押しても、同じ画像が記録媒体に繰り返し録画されることはない。
（２）  前記制御手段は、前記リモコン受信手段がいずれかの制御信号を受信したとき、前記録画手段による録画中で無ければ、この制御信号について前記第１の時間継続して受信するかどうかを判定することなく、この制御信号に基づいて本体の動作を制御する。
【００１２】
この構成では、録画手段による録画中でなければ、リモコン受信手段が受信した制御信号について、第１の時間継続して受信するかどうかを判定せずに、受信した制御信号に基づいて本体を動作させるので、ユーザの操作に対する装置本体の動作遅れも抑えられる。
（３）前記制御手段は、前記リモコン受信手段がいずれかの制御信号を予め定めた第１の時間継続して受信したとき、この時点において本体で受信している画像を、前記記録媒体に繰り返し録画する。
【００１３】
この構成では、そのときに受信している画像を記録媒体に第２の時間連続して繰り返し録画するので、この記録媒体に録画されているコンテンツの区切りだけでなく、そのコンテンツの内容も簡単に判断できる。
（４）前記制御手段は、前記静止画像を記憶したメモリを有し、前記リモコン受信手段が前記リモコンから前記制御信号を前記第１の時間継続して受信したとき、前記録画手段を制御して、前記メモリに記憶している静止画像の中で選択されている静止画像を、前記記録媒体に繰り返し録画する。
【００１４】
この構成では、記録媒体に録画しているコンテンツに区切りをつけるために、記録媒体に第２の時間連続して繰り返し録画する画像を、ユーザが自分の好みに応じて選択できる。
【発明の効果】
【００１５】
この発明によれば、記録媒体にコンテンツを録画しているときに区切りをつけたいとき、リモコン装置に設けられているいずれかのキーを一定時間操作し続けることで、再生時に接続されているテレビ受像機等において表示される映像が再生を一時停止したときと同様の状態になるので、記録媒体に録画されているコンテンツの区切りが簡単に確認できる。また、同じ画像を記録媒体に繰り返し録画させる操作を、リモコン装置に設けられているいずれかのキーを第１の時間継続して押すという操作にしているので、リモコン装置や装置本体に設けるキーを増加させることがなく、コストアップや、リモコン装置、装置本体の大型化等を招くことがない。
【発明を実施するための最良の形態】
【００１６】
図１は、本発明の実施形態であるＤＶＤ装置の構成を示すブロック図である。本発明の実施形態であるＤＶＤ装置１は、本体の動作を制御する制御部２と、選択されているチャンネルで放送されている番組を受信するチューナ３と、チューナ３で受信した番組の映像信号、および音声信号を本体にセットされているＤＶＤ２０に録画するデータ（以下、録画データと言う。）にエンコードするエンコーダ４と、エンコーダ４がエンコードした番組の録画データを本体にセットされているＤＶＤ２０に録画したり、本体にセットされているＤＶＤ２０に録画されている番組のデータを読み取る記録／読取部５と、記録／読取部５がＤＶＤ２０から読み取ったデータ（以下、読取データと言う。）をデコードするデコーダ６と、デコーダ６がデコードした読取データに基づく再生映像信号、および再生音声信号（以下、総称して再生信号という。）を生成し出力する再生部７と、リモコン装置１０から送信されてきた本体に対する制御信号を受信するリモコン受信部８とを備えている。
【００１７】
チューナ３は、本体に入力されているテレビ放送信号から選択されているチャンネルで放送されている番組の映像信号、および音声信号を抽出する。エンコーダ４はチューナ３から入力された記録データをエンコードし、１フレーム単位で圧縮した録画データを記録／読取部５に入力する。記録／読取部５には、バッファメモリ３０（以下、単にバッファ３０と言う。）が設けられており、エンコード４から入力された録画データをこのバッファ３０に記憶する。また、記録／読取部５には、周知のピックアップヘッド等が設けられており、録画時には本体にセットされているＤＶＤ２０にレーザ光を照射してバッファ３０に記憶している録画データを記憶した順番にＤＶＤ２０に録画する。一方、再生時には本体にセットされているＤＶＤ２０から読み取った読取データをバッファ３０に記憶する。デコーダ６は、再生時にバッファ３０に記憶されている読取データをＤＶＤ２０から読み取った順番にデコードし、１フレーム単位で読取データを再生部７に入力する。再生部７は、デコードされた読取データに基づく再生信号を生成し、この再生信号を図示していないテレビ受像機等に入力する。リモコン受信部８は、リモコン装置１０から赤外線や電波で送信されてきた、本体に対する制御信号を受信する。
【００１８】
次に、この実施形態のＤＶＤ装置の動作について説明する。図２は、この実施形態のＤＶＤ装置の動作を示すフローチャートである。
【００１９】
この実施形態のＤＶＤ装置１は本体に設けられている操作部（不図示）のキーが操作されるか、リモコン受信部８においてリモコン１０から送信されてきた装置本体に対する制御信号を受信するのを待っている（Ｓ１，Ｓ２）。Ｓ１、Ｓ２では、本体に対する入力を待っている。ＤＶＤ装置１は、Ｓ１、またはＳ２で本体に対する入力があったと判定すると、ＤＶＤ２０に対する録画処理を行っているかどうかを判定する（Ｓ３）。ＤＶＤ装置１は、Ｓ３で録画処理を行っていないと判定すると、操作部において操作されたキー、またはリモコン受信部８で受信した制御信号に応じた処理を行い（Ｓ４）、Ｓ１に戻る。例えば、本体が停止中に、リモコン受信部８でＤＶＤ２０の再生開始を指示する制御信号を受信した場合、本体にセットされているＤＶＤ２０の再生を開始する。また、本体がＤＶＤ２０の再生中であるときに、ＤＶＤ２０の再生停止を指示する制御信号を受信した場合、本体にセットされているＤＶＤ２０の再生を停止する。
【００２０】
一方、ＤＶＤ装置１は、Ｓ３で録画処理を行っていると判定すると、本体に対する入力が一定時間（この発明で言う第１の時間）継続するかどうかを判定する（Ｓ５、Ｓ６）。具体的には、本体に対する入力があってから一定時間経過する前に、この入力がなくなるかどうかを判定している。ユーザは操作部または、リモコン装置のキーを一定時間継続して操作しつづけることにより本体に対する入力を一定時間継続させることができる。ＤＶＤ装置１は、本体に対する入力が一定時間継続しなかったと判定すると、Ｓ４で操作部において操作されたキー、またはリモコン受信部８で受信した制御信号に応じた処理を行い、Ｓ１に戻る。例えば、リモコン受信部８で録画停止を指示する制御信号を受信した場合、本体にセットされているＤＶＤ２０に対する録画を停止する。
【００２１】
一方、ＤＶＤ装置１は、本体に対する入力が一定時間継続したと判定すると、エンコーダ４がその時点で入力されているフレームの画像をエンコードし、記録／読取部５のバッファ３０に書き込むと、エンコーダ４を停止する（Ｓ７、Ｓ８）。したがって、録画中に本体に対する入力が一定時間継続した場合、バッファメモリ３０に最後に書き込まれる画像は、本体に対して一定時間継続して何らかの入力があったときに、チューナ３で受信していた画像である。Ｓ８でエンコーダを停止しても、記録／読取部５はＤＶＤ２０への録画をすぐに停止せず、バッファ３０に記憶している録画データをＤＶＤ２０に録画する処理を継続する。
【００２２】
ＤＶＤ装置１は、ＤＶＤ２０に録画する録画データがバッファ３０に記憶している最後の１フレームの画像になると（Ｓ９）、この画像をＤＶＤ２０に繰り返し録画する（Ｓ１０）。ＤＶＤ装置１は、エンコーダ４の停止後、図３に示すようにバッファ３０に記憶している録画データをＤＶＤ２０に録画していき、最後の１フレームの画像になると、この画像を繰り返しＤＶＤ２０に録画する。最後の１フレームの画像は、再生時に、この１フレームの画像が連続して再生される再生時間が予め定めた時間（この発明で言う第２の時間）、例えば１〜２秒、になるように繰り返しＤＶＤ２０に録画される。
【００２３】
ＤＶＤ装置１は、最後の１フレームの画像の繰り返し録画が完了したと判定すると（Ｓ１１）、記録／読取部５におけるＤＶＤ２０への録画処理を停止し（Ｓ１２）、Ｓ１に戻る。
【００２４】
このように、この実施形態のＤＶＤ装置１では、録画中に操作部またリモコン装置１０に設けられているいずれかのキーを一定時間操作し続けることで、その時にチューナ３で受信している画像を、再生時間が予め定めた時間になるように繰り返しＤＶＤ２０に録画できる。ＤＶＤ２０に繰り返し録画された画像は、再生時に繰り返し再生されるので、再生部７に接続されているテレビ受像機等において表示される映像が、再生を一時停止したときと同様の状態になる。したがって、ユーザは、再生時にＤＶＤ２０に同じ画像が繰り返し録画されている位置を簡単に確認できる。このため、ユーザは、ＤＶＤ２０に番組を録画しているときに区切りをつけたいとき、操作部またリモコン装置１０に設けられているいずれかのキーを一定時間操作し続けることで、再生時に接続されているテレビ受像機等において表示される映像が再生を一時停止したときと同様の状態になるので、再生時にＤＶＤに録画されている番組の区切りが簡単に確認できる。
【００２５】
また、同じ画像を記録媒体に繰り返し録画させる操作を、リモコン装置１０に設けられているいずれかのキーを予め定めた一定時間継続して押すという操作にしているので、リモコン装置１０や装置本体に設けるキーを増加させることがなく、コストアップや、リモコン装置１０、装置本体の大型化等を招くことがない。
【００２６】
さらに、装置本体が録画中でないときに、装置本体に対して何らかの入力があれば、その入力が一定時間継続するかどうかを判定することなく、今回の入力に対する処理を実行するようにしているので、ユーザの操作に対する装置本体の動作遅れも抑えられる。なお、録画中でなければ、同じ画像を繰り返しＤＶＤ２０に録画することはないので、入力が一定時間継続するかどうかを判定しないことによる問題が生じることはない。
【００２７】
また、上記実施形態では、録画中に本体に対する入力が一定時間継続すると、その時点においてチューナ３が受信している画像を、ＤＶＤ２０に繰り返し録画するとしたが、図４に示すように複数の静止画像を記憶する静止画像記憶部９を設け、録画中に本体に対する入力が一定時間継続すると、この静止画像記憶部９に記憶している静止画像の中から選択されている静止画像を最後にバッファ３０に書き込み、この静止画像を繰り返しＤＶＤ２０に録画するようにしてもよい。このようにすれば、ＤＶＤ２０に記録されているコンテンツの区切りを、ユーザが自分の好みにあった静止画像にできる。
【図面の簡単な説明】
【００２８】
【図１】本発明の実施形態であるＤＶＤ装置の構成を示すブロック図である。
【図２】本発明の実施形態であるＤＶＤ装置の動作を示すフローチャートである。
【図３】再生時間が予め定めた時間になるように繰り返し同じ画像をＤＶＤ２０に録画する動作を説明する図である。
【図４】本発明の別の実施形態であるＤＶＤ装置の構成を示すブロック図である。
【符号の説明】
【００２９】
１−ＤＶＤ装置
２−制御部
３−チューナ
４−エンコーダ
５−記録／読取部
６−デコーダ
７−再生部
８−リモコン受信部
９−静止画像記憶部
１０−リモコン
２０−ＤＶＤ
３０−バッファ
【図１】
2005328175.tif 000003
【図２】
2005328175.tif 000004
【図３】
2005328175.tif 000005
【図４】
2005328175.tif 000006